(57)【特許請求の範囲】
【請求項１】
使用時に波付可撓管（７）が案内されるほぼＵ字状の管案内部（４０）が切り欠き状に形成されたカッタ本体（４）と、
前記カッタ本体（４）の前記管案内部（４０）を挟む位置の一方に、前記管案内部（４０）内へ刃先（５０）が突入する状態に設けられたカッタ刃（５）と、
前記カッタ本体（４）の前記管案内部（４０）を挟む位置の他方に、前記刃先（５０）に向かってスライドし得る状態に設けられたスライド部材（６）とを備え、
前記管案内部（４０）の前記カッタ刃（５）設置側には、使用時に、前記波付可撓管（７）の波山（７０）相互の間に案内される保持凸条（４１）と、この保持凸条（４１）の両側に位置して前記波山（７０）の頂部が接触する案内面（４２，４３）とが形成され、
前記スライド部材（６）には、使用時に、前記波山（７０）相互の間に案内されかつ前記保持凸条（４１）と対応する保持凸条（６１）と、この保持凸条（６１）の両側に位置して前記波山（７０）の頂部が接触する案内面（６２，６２）とが形成され、
前記カッタ本体（４）の一側部には、前記管案内部（４０）の一方の案内面（４３）の部分に、当該案内面（４３）に対してほぼ直角な面であって、前記管案内部（４０）の内底部（４４）側に向けて僅かに先下がり傾斜した刃先摺動面（４５）が形成され、
前記カッタ刃（５）は、その刃先（５０）が前記管案内部（４０）の内底部（４４）方向へ向いて前記刃先摺動面（４５）へ摺動自在に接触し、かつ使用時に前記管案内部（４０）の一方の案内面（４３）側に位置する一つの波山（７０）の頂部へ突き刺さる状態に前記カッタ本体（４）へ取り外し可能に取り付けられ、
前記カッタ刃（５）を前記カッタ本体（４）へ適宜固定するロック手段（５１）と、前記スライド部材（６）を前記カッタ本体（４）へ適宜固定するロック手段（６０）とを設けたことを特徴とする、
波付可撓管用カッタ。
【発明の詳細な説明】
【０００１】
【産業上の利用分野】
この発明は一般的には波付可撓管用カッタに関するものであり、さらに具体的には、ビルの壁や床内，地中等に敷設するケーブルや各種配管類の保護管である波付可撓管を、特にその波山の部分を周方向に切断するためのカッタに関するものである。
【０００２】
【従来の技術】
ケーブル等を保護する波付金属管を、その波山の部分で周方向に切断するカッタには、例えば実開昭６３−７６４１６号公報に開示されたものがある。
図１３及び図１４を参照しながら、前記公報に記載のカッタを説明する。
１１はほぼＵ字形の本体で、その一端部には筒状の柄部１２が、その他端部には波付管Ｐの受け部２７，２７がそれぞれ相対するように設けられている。
【０００３】
筒状の柄部１２の先端側（刃取付側）には四角形断面の孔１３が形成され、この孔１３には、同じく四角形断面の刃支持ロッド１５が、前記柄部１２の長さ方向に沿って移動し得るように挿入されている。
前記柄部１２の刃取付側の端部から突出した前記支持ロッド１５の先端部は二股状に形成されており、この二股状の部分には、ピン１６によって円板状のカッタ刃１７が波付管Ｐの周方向に沿って回転し得るように設けられている。
前記支持ロッド１５には、基端側から長さ方向に沿う雌ねじ穴１９が形成され、この雌ねじ穴１９には、前記柄部１２の基端側からボルト２０の先端部がねじ込まれている。
このボルト２０の基端側の一部分２０ａは、前記柄部１２の基端部側内部に取り付けたスリーブ状のストッパ金具２３によって回転自在に支承されており、ボルト２０に形成されたフランジ部２０ｂが、前記ストッパ金具２３へ当接している。
ボルト２０の基端部には、セットボルト２２によってつまみ２１が取り付けられているので、つまみ２１を一方向へ回すと、カッタ刃１７は支持ロッド１５とともに先端方向へ突出して、波付管Ｐの中心Ｑに向かって移動する。他方、つまみ２１を他方向に回すと、カッタ刃１７は波付管Ｐの中心Ｑから遠ざかるように移動する。
【０００４】
管受け部２７，２７は、本体１１の他端部へ波付管Ｐ側へ二股状に突出するように形成された各ホルダ２５と、各ホルダ２５の先端部のボス２６，２６へ回転自在に支承された各一対の受けロール２９とによって構成されている。
それぞれ二股状に形成された各ホルダ２５の両端部のボス２６，２６には、波付管Ｐと平行するように固定軸２８がそれぞれ取り付けられており、この各固定軸２８には、それぞれスリーブ３０が回転自在に装着されている。
各受けロール２９は、押しねじ３１によって前記スリーブ３０へ固定されていることにより、固定軸２８に対して自由に回転するように構成されている。また、各対の受けロール２９，２９の側面には、外周部に波付管Ｐの波の山部Ｑ１，Ｑ３へ接触するガイド部が形成されている。
【０００５】
前述のカッタは、波付管Ｐの波の山部のピッチに合わせて四つの受けロール２９の位置を調整し、両側の対の受けロール２９，２９及び２９，２９により、図のように波付管Ｐの２ピッチ離れた山部Ｑ１，Ｑ３を受けさせ、つまみ２１を回して、カッタ刃１７を波付管Ｐの山部Ｑ２へ所定量くい込ませる。
この状態では、円板状のカッタ刃１７と各受けロール２９の配置は、図１３のように、正面視においてそれらの回転中心が正三角形の頂点に位置する状態になる。そして、本体１１を図１３の矢印ａ’の方向へ回すことにより、波付管Ｐは所望の山部Ｑ２の部分において切断される。
【０００６】
【発明が解決しようとする課題】
前述の従来のカッタは、以上のように構成されているので、波付管Ｐのサイズ（山部のピッチ及び外径）に合わせてカッタ刃１７の位置を調整することはできるが、以下のような課題があった。
すなわち、その第１は、図１３において相対する受けロール２９，２９の間隔を、切断しようとする波付管Ｐに合わせて調整することができず、したがって、外径が僅かな範囲で異なる波付管にしか使用できないことである。
第２は、カッタ刃１７を管Ｐの中心方向へ自由に近づけることができるので、カッタ刃１７の管Ｐに対するくい込み量に得に注意を払わないと、くい込み量が過大になって内部のケーブル等を傷つけ易いことである。
第３は、管の受け部は四つの受けロールによって構成され、かつ構成が複雑であるため、カッタが大型になるとともに高価になることである。
【０００７】
この発明の目的は、前述の課題に鑑み、管の外径に合わせて管の受け部を調整することができる波付可撓管用カッタを提供することにある。
この発明の他の目的は、カッタ刃の管へのくい込み量について特に注意を払わなくても、内部のケーブル等を傷つけるおそれがない波付可撓管用カッタを提供することにある。
この発明のさらに他の目的は、構造が簡単でより小型かつ安価に製造できる波付可撓管用カッタを提供することにある。
【０００８】
【課題を解決するための手段】
この発明による波付可撓管用カッタは、前述の課題を解決するため以下のように構成している。
すなわち、この発明によるカッタは、使用時に波付可撓管７が案内されるほぼＵ字状の管案内部４０が切り欠き状に形成されたカッタ本体４と、前記カッタ本体４の前記管案内部４０を挟む位置の一方に、前記管案内部４０内へ刃先５０が突入する状態に設けられたカッタ刃５と、前記カッタ本体４の前記管案内部４０を挟む位置の他方に、前記刃先５０に向かってスライドし得る状態に設けられたスライド部材６とを備えている。
前記管案内部４０の前記カッタ刃５設置側には、使用時に、前記波付可撓管７の波山７０相互の間に案内される保持凸条４１と、この保持凸条４１の両側に位置して前記波山７０の頂部が接触する案内面４２，４３とが形成されている。
前記スライド部材６には、使用時に、前記波山７０相互の間に案内されかつ前記保持凸条４１と対応する保持凸条６１と、この保持突条６１の両側に位置して前記波山７０の頂部が接触する案内面６２，６２とが形成されている。
前記カッタ本体４の一側部には、前記管案内部４０の一方の案内面４３の部分に、当該案内面４３に対してほぼ直角な面であって、前記管案内部４０の内底部４４側に向けて僅かに先下がり傾斜した刃先摺動面４５が形成されている。
前記カッタ刃５は、その刃先５０が前記管案内部４０の内底部４４方向へ向いて前記刃先摺動面４５へ摺動自在に接触し、かつ使用時に前記管案内部４０の一方の案内面４３側に位置する一つの波山７０の頂部へ突き刺さる状態に前記カッタ本体４へ取り外し可能に取り付けられている。
そして、前記カッタ刃５を前記カッタ本体４へ適宜固定するロック手段５１と、前記スライド部材６を前記カッタ本体４へ適宜固定するロック手段６０とが設けられている。
【０００９】
【作用】
この発明の波付可撓管用カッタによれば、切断しようとする波付可撓管７は、カッタ刃５のロック手段５１とスライド部材６のロック手段６０をそれぞれ解除した状態で、切断しようとする部分が前記管案内部４０内へ案内される。
【００１０】
カッタ刃５の刃先５０の位置は、波付可撓管７の波山７０の部分の外径に合わせて調整される。
すなわち、カッタ刃５の刃先５０が前記波山７０の部分へ管軸心方向に向けて突き刺さる位置まで、当該刃先５０を前記刃先摺動面４５に沿って摺動調整した後、前記カッタ刃５を前記ロック手段５１によってカッタ本体４へロックする。波付可撓管７の外径が小さければ小さいほど、カッタ刃５の刃先５０の位置は、前記管案内部４０の内底部４４へ近づくように調整される。
【００１１】
前述のように刃先５０の位置を調整してカッタ刃５をロックした後、前記スライド部材６を波付可撓管７の径に合わせてスライドさせ、このスライド部材６をロック手段６０によってカッタ本体４へロックする。
次いで、前記波付可撓管７の切断しようとする部分を、前記保持凸条４１，６１がそれぞれ管７の波山７０相互の間の谷部に案内される状態に前記管案内部４０内へ案内する。このとき、前記カッタ刃５の刃先５０は波付可撓管７の波山７０の部分へ突き刺さる。
【００１２】
前述の状態で、カッタ刃５の刃先５０が波付可撓管７を前記管案内部４０の内底部４４へ押し付ける方向へ（刃先５０が管案内部４０の内底部４４側に向かって移動するように）、前記カッタ本体４を前記波付可撓管７の外周に沿って一周回すと、管７は山部７０の位置で周方向へ切断される。
このとき、刃先５０は管案内部４０の内底部４４の方に向けられているので、カッタ本体４を前述のように回すことによって、前記刃先５０は、カッタ本体４の回転に伴って管７の波山７０へ順次くい込むように作用する。
【００１３】
前述のように、刃先摺動面４５は、管案内部４０の内底部４４側に向けて僅かに先下がり傾斜しているので、カッタ刃５の刃先５０を前述のように刃先摺動面４５に沿って摺動させ、波付可撓管７の外径に合わせてその位置を調整すると、その刃先５０は、管７の外径が大きければその近傍に形成されている前記保持凸条４１から離れ、管７の外径が小さければ前記保持凸条４１に近づく。
一般に波付可撓管７は、その外径が大きければ波山７０のピッチ（波山７０の幅）も大きいので、前述のように構成すると、カッタ刃５の刃先５０の摺動面４５における位置を、管７の外径に合わせて前述のように調整することによって、刃先５０は各管７の波山７０のほぼ中央部分に突き刺さるようになる。
【００１４】
【実施例】
図１〜図１０を参照しながら、この発明によるカッタの好ましい実施例を説明する。
図１〜図４で示すように、厚肉で板状のカッタ本体４の長さ方向に沿う一側部には、波付可撓管７が没入する状態に案内されるほぼＵ字状の管案内部４０が切り欠き状に形成され、長さ方向の一方の端部には把手４ａが形成されている。
【００１５】
カッタ本体４の前記管案内部４０を挟む位置の一方には、刃先５０が前記管案内部４０側へやや突入する状態にカッタ刃５が取り付けられ、カッタ本体４の前記管案内部４０を挟む位置の他方には、刃先５０に向かってスライドし得る状態にスライド部材６が取り付けられている。
【００１６】
前記管案内部４０の前記カッタ刃５設置側の内面には、保持凸条４１と、この保持凸条４１の両側に位置する案内面４２，４３とが形成されている。
この実施例では、前記保持凸条４１は、図１〜図３及び図６のように、管案内部４０の内底部４４まで連続して形成されている。
他方、前記スライド部材６には、前記保持凸条４１と対向する保持凸条６１と、この保持凸条６１の両側に位置して前記案内面４２，４３と対向する案内面６２，６２とが形成されている。
図５で示すように、相対して位置する前記保持凸条４１と６１は、使用時に管案内部４０へ案内された波付可撓管７の波山７０相互の間（谷部）に挿入されることにより、また、相対する案内面４２，４３と案内面６２，６２は、波付可撓管７の波山７０の頂部が接触することにより、それぞれ当該管７を安定して管案内部４０へ保持するようになっている。
管案内部４０の入口側に位置する保持凸条４１，６１の端部４１ａ，６１ａは、その先端方向に向けて徐々に小さくなるように形成されている。
【００１７】
図３及び図６で示されているように、カッタ本体４の一側部には、前記管案内部４０の一方の案内面４３の部分に、当該案内面４３に対してほぼ直角な面であって、前記管案内部４０の内底部４４側に向けて僅かに先下がり傾斜した（カッタ本体４の厚さ方向に深くなるように傾斜した）刃先摺動面４５が形成されている。
そして前記カッタ刃５は、その刃先５０が前記管案内部４０の内底部４４方向へ向いて前記刃先摺動面４５へ摺動自在に接触し、かつ、前記管案内部４０内へ所定量突出する状態（この実施例では、刃先５０は管案内部４０内の管７の波の谷７１のレベルまでは達しない程度に突出している。）で、前記カッタ本体４へ取り外し可能に取り付けられている。
【００１８】
前記カッタ本体４には、カッタ刃５を前記カッタ本体４へ適宜固定するロック手段５１と、前記スライド部材６を前記カッタ本体４へ適宜固定するロック手段６０とが設けられている。
【００１９】
この実施例のカッタにおけるカッタ刃５の具体的な取り付け状態、及び、前記ロック手段５１の具体的な構成は以下のとおりである。
主として図３で示すように、前記カッタ本体４の一側面には、管案内部４０の前記刃先摺動面４５へ隣接する部分に、座ぐり状のホルダ取付部４６が形成されており、ホルダ取付部４６の内底面であるホルダ取付面４７は、段差を設けて刃先摺動面４５とほぼ同様な傾斜面に形成している。
この実施例において、保持凸条４１に対する刃先摺動面４５及びホルダ取付面４７の傾斜角度θは約３°に設計されている。
【００２０】
この実施例のカッタ刃５は、カッタ刃本体５ａと、下部の受けホルダ５２と上部の押えホルダ５３とによって構成されている。カッタ刃本体５ａは、下部の受けホルダ５２と上部の押えホルダ５３とにより、挟み付け状に保持された状態で前記ホルダ取付部４６へ以下のように取り付けられている。
受けホルダ５２は、前記ホルダ取付部４６内へほぼ没入し、ホルダ取付面４７の支点穴４８を支点として、ホルダ取付面４７を摺動しながら一定の範囲を回動し得るような形状及びサイズに形成されている。
【００２１】
押えホルダ５３には、ロック手段５１を構成するロックボルト５１ａが取り付けられており、下面には支点ピン５４、受けホルダ５２の姿勢を一定に保つための規制突起５５，５６がそれぞれ突出しており、上部面には操作用のつまみ５７が形成されている。
他方受けホルダ５２には、前記規制突起５５，５６に対応する規制穴５５ａ，５６ａ、前記支点ピン５４が通るピン孔５４ａ、前記ロックボルト５１ａが通るボルト孔５１ｂ、及び、受けホルダ５２を前記ホルダ取付面４７へ所定姿勢で係止するための規制ピン５８等がそれぞれ形成されている。
また、カッタ本体４のホルダ取付面４７には、前記規制ピン５８が案内される規制穴４７ａ，４７ｂ，４７ｃ及び４７ｄがそれぞれ形成されている。
【００２２】
カッタ刃本体５ａは、図３の二点鎖線で示すように、受けホルダ５２の上にその一側部から刃先５０が突出する状態にセットされ、これに押えホルダ５３を重ねる。
この状態では、規制突起５５，５６がそれぞれ対応する規制穴５５ａ，５６ａへ挿入され、支点ピン５４が受けホルダ５２のピン孔５４ａから、また、ロックボルト５１ａが受けホルダ５２のボルト穴５１ｂからそれぞれ下方に突出する。この重ね状態で、受けホルダ５２と押えホルダ５３とを前記ホルダ取付部４６へ案内し、前記支点穴４８を中心とする円弧状の長孔４９に前記ロックボルト５１ａを貫通させ、支点ピン５４を支点穴４８へ案内するとともに、前記規制ピン５８をホルダ取付面４７の例えば規制孔４７ｂへ案内する。
そして、前記長孔４９から下方へ突出したロックボルト５１ａの先端にロックナット５１ｃをねじ締めることにより、カッタ刃本体５ａの刃先５０が前記刃先摺動面４５へ摺接した状態で、カッタ刃本体５ａを保持したホルダ５２，５３が、図１の状態でカッタ本体１のホルダ取付部４６へ固定される。
【００２３】
４７ｅ〜４７ｈは、ぞれぞれ前記規制穴４７ａ〜４７ｄに対応してカッタ本体４の側面に刻まれた指示線である。
図１のように押えホルダ５３のつまみ５７が指示線４７ｆに沿った位置にあるときは、図３における規制ピン５８が規制穴４７ｂに案内されていて、カッタ刃本体５ａの刃先５０が大径の波付可撓管７を切断するのに適した位置にあることを示している。
同様に、つまみ５７が指示線４７ｅに沿っているときは、前記規制ピン５８は前記規制穴４７ａに、つまみ５７が指示線４７ｇに沿っているときは、前記規制ピン５８は前記規制穴４７ｃに、つまみ５７が指示線４７ｈに沿っているときは、前記規制ピン５８は前記規制穴４７ｄに、それぞれ案内されている。
【００２４】
この実施例のカッタにおいて、カッタ本体４に対するスライド部材６の具体的な取付構造や、ロック手段６０の具体的構成は以下のとおりである。
主として図４で示すように、カッタ本体４における前記管案内部４０のカッタ刃取付側の反対側には、一方の側面に、スライド部材６のスライド方向に沿う溝状のガイド部４ｃ，４ｄが形成されている。
ガイド部４ｃ，４ｄ間のスライド面４ｅには、ロック手段６０のロックボルト６０ａが貫通するボルト孔４ｂが形成されており、さらに、波付可撓管７の外径に応じてスライド部材６の位置を規制する溝状の規制穴４ｆ，４０ｆ，４ｇ，４０ｇ，４ｈ，４０ｈがそれぞれ形成されている。
【００２５】
スライド部材６には、ロックボルト６０ａが通る長孔６０ｂがスライド方向に沿って形成されている。
当該スライド部材６のカッタ本体４と相対する面には、スライド方向に沿う両側部に、前記ガイド部４ｃ，４ｄに案内されるガイド凸条６３，６４が形成され、凸条６３，６４の間のスライド面６５には、前記規制穴４ｆ，４０ｆ，４ｇ，４０ｇ，４ｈ，４０ｈのいずれかに係合する規制突起６６が形成されている。
スライド部材６は、そのガイド凸条６３，６４を前記ガイド部４ｃ，４ｄに案内し、前記規制突起６６を例えば前記規制穴４０ｈへ案内した状態で、長孔６０ｂ，ボルト孔４ｂへロックボルト６０ａを通し、前記ボルト孔４ｂからカッタ本体４の反対側へ突出したロックボルト６０ａにロックナット６０ｃをねじ締めることにより、図１及び図２のような状態でカッタ本体４へロックされる。
【００２６】
図２及び図４のように、カッタ本体４の一側面には矢印４ｉが前記スライド部材６の方向に向けて表示されており、スライド部材６の表面には、前記規制穴４ｆ，４０ｆ，４ｇ，４０ｇ，４ｈ，４０ｈに対応する位置に，それぞれ指示線６７，６７ａ，６８，６８ａ，６９，６９ａが刻まれている。
したがって、前記規制突起６６が規制穴４０ｈに案内されているときは、矢印４ｉは前記指示線６７と一致し、規制突起６６が他の規制穴４０ｆ，４ｇ，４０ｇ，４ｈ，４０ｈに案内されているときは、図２の指示線６７ａ，６８，６８ａ，６９，６９ａとそれぞれ一致するように構成されている。
【００２７】
図３及び図１２のように、カッタ本体４の把手４ａの部分には替え刃５ｂの収納部４ｊが形成されている。
この収納部４ｊは、カッタ本体４の一側面に形成され、全体の平面形状が替え刃５ｂとほぼ同様な形状の替え刃挿入穴４ｋ、刃先ガイド穴４ｍと、替え刃挿入穴４ｋと刃先ガイド穴４ｍの間において各穴４ｋ，４ｍと通じるように、カッタ本体４の他の側面に形成されている刃先通過孔４ｎとからなっている。
替え刃挿入穴４ｋから刃先通過孔４ｎを経て前記刃先ガイド穴４ｍの方向へ替え刃５ｂを挿入すると、替え刃５ｂは挿入穴４ｋの底面４ｓよりやや深い替え刃保持面４ｑ，４ｒへ保持され、中央部が刃先通過穴４ｎの底部である押え部４ｔでやや押えられた状態になる。
そして、刃先ガイド穴４ｍの端部に設けられている刃押し片４ｐにより、替え刃５ｂを前記挿入方向の逆方向へ押すと、替え刃５ｂは替え刃挿入穴４ｋの方向へ押され、替え刃保持面４ｒ及び４ｑから脱出するようになっている。
【００２８】
この実施例のカッタは、これを使用しないときは、ロックナット５１ｃを緩めてロック手段５１を解除し、押えホルダ５３のつまみ５７を操作して、当該つまみ５７が指示線４７ｅに沿う位置までホルダ５３，５２を回動させ、ロックナット５１ｃを再度締めることにより、図１１のように、カッタ刃本体の刃先５０を案内面４３からホルダ取付部４６側に引っ込んだ状態にする。
この状態では、図３における受けホルダ５２の規制ピン５８は、ホルダ取付面４７の規制穴４７ａに案内されている。
このように、刃先５０を案内面４３からホルダ取付部４６側へ後退させることにより、刃先５０によって怪我をしないように安全に取り扱うことができる。
【００２９】
この実施例のカッタは、図７の中径の波付可撓管７ａと図１の大径の波付可撓管７との中間サイズの管から、大径の管７よりもやや大きい外径の管までを対象とするときは、規制ピン５８を規制穴４７ｂに案内した状態で、ロック手段５１でカッタ刃５をカッタ本体４にロックする。
このとき、カッタ刃５の刃先５０は図１のように基線ｂと一致する状態（管案内部４０の入口側に刃先５０が位置した状態に）にセットされる。
【００３０】
図８の小径の波付可撓管７ｂと図７の中径の波付可撓管７ａとの中間サイズの管から、中径の管７ａと大径の管７との中間サイズの管までを対象とするときは、規制ピン５８を規制穴４７ｃに案内し、図７のようにカッタ刃５の刃先５０を基線ｂからθ１だけ管案内部４０の内底部４４側へずらした状態にセットして、カッタ刃５をカッタ本体４にロックする。
【００３１】
また、小径の管７ｂよりも小さい径の管から、小径の管７ｂと中径の管７ａとの中間サイズの管までを対象とするときは、規制ピン５８を規制穴４７ｄに案内し、図８のように刃先５０を基線ｂからθ２だけ管案内部４０の内底部４４側へずらした状態（管案内部４０の奥側に刃先５０が位置した状態）にセットして、カッタ刃５をカッタ本体４にロックする。
【００３２】
前述のような構成に代えて、カッタ刃５を無段階でカッタ本体４へロックできるように構成してもよいが、管のサイズが異なる毎に刃先５０の位置をセットし直すのは操作が非常に面倒になるので、前述のように構成するのが便利である。
【００３３】
この実施例のカッタによって、波付可撓管を切断するときは、管サイズに応じてカッタ刃５の刃先５０を図１，図７又は図８のような状態にセットして、カッタ刃５のホルダ５２，５３をカッタ本体４へロックする。
他方、管サイズに応じてスライド部材６をスライドさせ、矢印４ｉを指示線６７，６７ａ，６８，６８ａ，６９，６９ａのいずれかと一致させた状態で、図１，図７又は図８のような状態にセットして、スライド部材６をカッタ本体４にロックする。
この状態で管７，７ａ又は７ｂの切断しようとする部分を、前記保持凸条４１，６１が管の波山７０相互の間に案内される状態で、管案内部４０内に押し込んで刃先５０が管７，７ａ又は７ｂの波山７０のほぼ中央に突き刺さった状態にし、カッタ本体４を図１の矢印ａの方向へ一回転回すと、管案内部４０の奥側に向いている刃先５０により、管７，７ａ又は７ｂは波山７０の部分で切断される。
【００３４】
この実施例のカッタでは、図１，図７及び図８のように、カッタ刃５の刃先５０は、管７，７ａ，７ｂ等の側面のほぼ中央に突き刺さる状態になり、カッタ本体４を回すときに、刃先５０が管７，７ａ，７ｂ等に対して最もよく食い込む状態になり、その切断の力が最もよく作用する。
【００３５】
この実施例では、保持凸条４１（６１）の基端部の幅ｗは、図９のように大径の波付可撓管７の波山７０の先端相互の間隔Ｌとほぼ一致し、保持凸条４１（６１）の先端部の幅ｗ１は、図１０のように小径の管７ｂの波山７０の基端部相互の間隔Ｌ１とほぼ一致するように設定してある。
このように構成されていることによって、大径の管７の場合には、図９のように保持凸条４１（６１）の基部が波山７０の先端側面へ軽く接触する状態で波山７０相互の間に案内され、小径の管７ｂの場合には、図１０のように保持凸条４１（６１）が波山７０相互の間に押し込まれた状態になる。
したがって、いずれの管サイズの場合でも、保持凸条４１（６１）は波山７０相互の間でガタつかないで管７，７ｂを保持することができる。
【００３６】
カッタ本体４の側面には、案内面４３の部分に、管案内部４０の内底部４４側へ僅かに先下がり傾斜した刃先摺動面４５が形成され、カッタ刃５はその刃先５０の一側面が前記刃先摺動面４５へ摺接しているので、サイズの小さな管を切断する際に、刃先５０を図６の状態から管案内部４０の内底部４４側へ摺動させてセットすると、刃先５０は保持凸条４１側に接近する。
したがって、刃先５０が図１及び図６の状態にセットされている状態において、図９のように刃先５０が大径の管７の波山７０のほぼ中央部に突き刺さるように設定しておけば、小径の管７ｂを切断するに当たり、図８のように刃先５０を基線ｂからθ２だけ移動させてセットすると（管案内部４０の奥側に刃先５０をセットすると）、刃先５０は前記刃先摺動面４５の角度θにより図１０のように微小量Ｌ３保持凸条４１側に接近しているので、小径な管７ｂの波山７０に対してもほぼその中央に刃先５０が突き刺さる。
【００３７】
この実施例のカッタは、前述のように、規制穴４ｆ〜４０ｈと規制突起６６との位置関係により、スライド部材６の位置を管サイズに応じて六段階にセットし、そのスライド部材６をカッタ本体４にロックするように構成しているが、スライド部材６を無段階にセットしてカッタ本体４へロックするように構成することもできる。
なお、本発明において、カッタ刃５は上記実施例のものに限定されず、例えば、カッタ刃本体５ａとホルダ５２，５３が金属で一体に構成されたものであってもよい。
【００３８】
付記
以上の実施例は、以下のような技術的思想を含むものである。
その第１は、請求項１の波付可撓管用カッタにおいて、カッタ本体４の一側面には前記刃先摺動面４５の近傍に、当該刃先摺動面４５とほぼ同様な傾斜のホルダ取付面４７を有するホルダ取付部４６を設けるとともに、カッタ刃５を受けホルダ５２と押えホルダ５３とで挟んで保持させ、この受けホルダ５２と押えホルダ５３とを、前記受けホルダ５２が前記ホルダ取付面４７に摺接した状態で、支点ピン５４を中心として所定範囲を回動し得るように前記ホルダ取付部４６へ案内し、カッタ刃５をカッタ本体４へロックするロック手段５１を、カッタ本体４の前記ホルダ取付面４７へ前記支点ピン５４に対して円弧状をなすように形成された長孔４９と、前記押えホルダ５３，受けホルダ５２へ貫通して前記長孔４９に通したロックボルト５１ａと、このロックボルト５１ａへ締め付けたロックナット５１ｃとによって構成することである。
このように構成することによって、カッタ刃５のカッタ本体４に対する取り付けが強固かつ容易になるとともに、カッタ刃５の刃先５０のセット位置を対象とする管のサイズに応じて変更することが、非常に容易になる。
【００３９】
その第２は、前記第１の技術的思想を含む波付可撓管用カッタにおいて、前記受けホルダ５２の一面と前記ホルダ取付面４７との一方には、規制ピン５８を突出させるとともに、他方には、前記支点ピン５４に対して円弧軌跡を描く位置に沿って、前記規制ピン５８が案内される数個の規制穴（又は孔）４７ｂ〜４７ｄを形成することである。
このように構成することによって、カッタ刃５の刃先５０が、前記規制穴４７ｂ〜４７ｄにより切断する管の管サイズに対応して所定姿勢で確実にセットされる。
【００４０】
その第３は、請求項１に記載の波付可撓管用カッタにおいて、カッタ本体４の一方の側面と当該側面と相対するスライド部材６の面との一方には、前記スライド部材６のスライド方向に沿う溝状のガイド部４ｃ，４ｄを形成するとともに、他方には前記ガイド部４ｃ，４ｄに案内されるガイド凸条６３，６４を形成し、前記スライド部材６をカッタ本体４へロックするロック手段６０を、前記スライド部材６へそのスライド方向に沿って形成された長孔６０ｂと、この長孔６０ｂを通って前記カッタ本体４を貫通するロックボルト６０ａと、このロックボルト６０ａの端部へねじ締められるロックナット６０ｃとによって構成することである。
このように構成することにより、スライド部材６が円滑にかつ正確にスライドするとともに、スライド部材６がカッタ本体４へより強くロックされるようになる。
【００４１】
その第４は、前記第３の技術的思想を含む波付可撓管用カッタにおいて、スライド部材６と前記カッタ本体４との一方には、規制突起６６を形成するとともに、他方には、前記スライド部材６のスライド方向に沿って前記規制突起６６が案内される複数の規制穴（又は孔）４ｆ〜４ｈを形成することである。
このように形成することにより、管サイズに応じた位置で前記スライド部材６を前記カッタ本体４に対して確実にロックすることができる。
【００４２】
【発明の効果】
この発明による波付可撓管用カッタは、波付可撓管の受け部である管案内部４０の保持凸条４１と、スライド部材６の保持凸条６１との間隔を、スライド部材６をスライドさせて調整することができるので、管サイズの異なる多種の管の切断に使用することができる。
【００４３】
この発明の波付可撓管用カッタによれば、前記カッタ刃５は、その刃先５０が前記管案内部４０の内底部４４方向へ向いて前記刃先摺動面４５へ摺動自在に接触する状態で、前記カッタ本体４へ取り外し可能に取り付けられ、前記カッタ刃５を前記カッタ本体４へ適宜固定するロック手段５１が設けられているので、カッタ刃５の刃先位置を、管サイズに応じて適切な姿勢に変化させて使用することができる。
【００４４】
また、前記カッタ刃５の刃先５０は、前記管案内部４０内への突出量が所定量以下に規制された状態で、前記カッタ本体４へ取り付けられているので、カッタ刃の管へのくい込み量について特に注意を払わなくても、内部のケーブル等を傷つけるおそれがない。
さらに、各部の構造がより簡単であるから、より小型かつ安価に製造できる波付可撓管用カッタを提供することができる。
【図面の簡単な説明】
【図１】この発明に係る波付可撓管用カッタの正面図である。
【図２】図１の波付可撓管用カッタの背面図である。
【図３】図１の波付可撓管用カッタのカッタ刃のカッタ本体への取付構造を示す部分分解斜視図である。
【図４】図１の波付可撓管用カッタのスライド部材のカッタ本体への取付構造を示す部分分解斜視図である。
【図５】図１の矢印Ａ−Ａに沿う部分拡大断面図である。
【図６】図１の矢印Ｂ−Ｂに沿う部分断面図である。
【図７】図１の波付可撓管用カッタに中径サイズの管をセットした状態の部分正面図である。
【図８】図１の波付可撓管用カッタに小径サイズの管をセットした状態の部分正面図である。
【図９】図１の波付可撓管用カッタにおいて、大径の管にカット刃の刃先が突き刺さっている状態の部分拡大断面図である。
【図１０】図１の波付可撓管用カッタにおいて、小径の管にカット刃の刃先が突き刺さっている状態の部分拡大断面図である。
【図１１】図１の波付可撓管用カッタの不使用状態における部分正面図である。
【図１２】図１の波付可撓管用カッタの替え刃保持部分の部分断面図である。
【図１３】従来の波付管用カッタの部分破断正面図である。
【図１４】図１３の波付管用カッタの矢印Ｃ−Ｃに沿う部分拡大断面図である。
【符号の説明】
１１  Ｕ字形のカッタ本体
１２  柄部
１３  四角形断面の内周面
１５  刃支持ロッド
１６  ピン
１７  円板状のカッタ刃
１９  雌ネジ孔
２０  ボルト
２０ａ  ボルト２０の一部分
２０ｂ  フランジ部
２１  つまみ
２２  セットボルト
２３  スリーブ状のストッパ金具
２５  ホルダ
２６  ボス
２７  パイプ受け部
２８  固定軸
２９  受けロール
３０  スリーブ
Ｐ  波付管
Ｑ  中心
Ｑ１，Ｑ２，Ｑ３  山部
４  カッタ本体
４０  管案内部
４１，６１  保持凸条
４２，４３，６２  案内面
４４  管案内部の内底部
４５  刃先摺動面
４６  ホルダ取付部
４７  ホルダ取付面
４７ａ，４７ｂ，４７ｃ，４７ｄ  規制穴
４７ｅ，４７ｆ，４７ｇ，４７ｈ  指示線
４８  支点穴
４９  長孔
４ａ  把手
４ｂ  ボルト孔
４ｃ，４ｄ  ガイド部
４ｅ  スライド面
４ｆ，４０ｆ，４ｇ，４０ｇ，４ｈ，４０ｈ  規制穴
４ｉ  矢印
４ｊ  替え刃収納部
４ｋ  替え刃挿入穴
４ｍ  刃先ガイド穴
４ｎ  刃先通過孔
４ｐ  刃押し片
４ｑ，４ｒ  替え刃保持面
４ｓ  底面
４ｔ  押え部
５  カッタ刃
５ａ  カッタ刃本体
５ｂ  替え刃
５０  刃先
５１  ロック手段
５１ａ  ロックボルト
５１ｂ  ボルト孔
５１ｃ  ロックナット
５２  受けホルダ
５３  押えホルダ
５４  支点ピン
５４ａ  ピン孔
５５，５６  規制突起
５５ａ，５６ａ  規制穴
５７  つまみ
５８  規制ピン
６  スライド部材
６０  ロック手段
６０ａ  ロックボルト
６０ｂ  長孔
６０ｃ  ロックナット
６３，６４  ガイド凸条
６５  スライド面
６６  規制突起
６７，６７ａ，６８，６８ａ，６９，６９ａ  指示線
７  大径の波付可撓管
７ａ  中径の波付可撓管
７ｂ  小径の波付可撓管
７０  波山
７１  波の谷
ａ，ａ’  矢印
θ，θ１，θ２  角度
ｂ  基線
【図１】
0003571809.tif 000002
【図２】
0003571809.tif 000003
【図３】
0003571809.tif 000004
【図４】
0003571809.tif 000005
【図５】
0003571809.tif 000006
【図６】
0003571809.tif 000007
【図７】
0003571809.tif 000008
【図８】
0003571809.tif 000009
【図９】
0003571809.tif 000010
【図１０】
0003571809.tif 000011
【図１１】
0003571809.tif 000012
【図１２】
0003571809.tif 000013
【図１３】
0003571809.tif 000014
【図１４】
0003571809.tif 000015